(57)【要約】【課題】従来の定規では、直線定規の大きさで、０°に近い角度から９０°までの範囲の任意の角度で交わる２本の直線を、線引き辺のほぼ全体を利用して一筆書きで描くことができる定規がなかった。【解決手段】２枚の直線定規の線引き辺を並行に向い合せて、直線定規１に線引き辺１２より突出させて取付け部１３を設け、他方の直線定規２を回転可能な状態で取付け、取付け部１３に線引き辺１２を延長する溝部１４を設ける。直線定規２を０°から９０°まで回転させたときに、直線定規１と直線定規２の成す角度を円弧状の角度目盛を設けた角度表示部１５を角度指示部２５が指し示し、両方の直線定規の線引き辺のほぼ全体を利用して、一筆書きで正確かつ簡単に１点で交わる２本の直線を描くことができる定規を実現している。【選択図】図１
2016074097.tif 000002
【特許請求の範囲】
【請求項１】
直線定規１の線引き辺１２から突出させて他方の直線定規２を回転可能な状態で取り付ける取付け部１３を端部１１側に設ける。この取付け部１３に、線引き辺１２を延長する溝部１４を設ける。直線定規２に設ける取付け部２３を取付け部１３に回転可能な状態で取り付ける。このとき、線引き辺１２と線引き辺２２を並行になるように直線定規２を回転させたときに、線引き辺１２と線引き辺２２が密着もしくは１ｍｍ程度の間隙が空く構成とする。さらに直線定規２を回転させて、線引き辺２２と線引き辺１２が直角になるとき、直線定規１の段差１７に線引き辺２２が接触して直角を超えた回転ができない構造とする。また、直線定規２の端部２１に、回転の中心の延長上で線引き辺２２と並行となる角度指示部２５を設け、直線定規１の端部１１に直線定規２の回転の中心を中心とした円弧状に０°から９０°までの角度目盛を設けた角度表示部１５を設けて、直線定規２を回転させたとき、線引き辺２２と線引き辺１２の成す角度を角度指示部２５が０°から９０°までの角度目盛を設けた角度表示部１５の当該角度を指し示す構造とし、当該角度の状態を維持するために、直線定規２の回転を固定するための固定機構を設ける。以上の構成より成る角度定規。
【請求項２】
直線定規１の中央付近に取付け部１３を設けて、線引き辺１２と線引き辺２２の成す角度が０°のときに直線定規２の線引き辺２６と直線定規１の線引き辺１６が一直線状になる構造とした、請求項１記載の角度直線定規。
【請求項３】
線定規１の取付け部１３と直線定規２の取付け部２３を回転可能な状態で連結するときに、直線定規２を回転させて５°もしくは１０°の等間隔で一時的に回転が止められて、力を加えて回転させると次の５°もしくは１０°まで回転させたときに再度一時的に回転が止められるように、０°から９０°までの角度範囲で５°もしくは１０°の等間隔で回転を一時的に止めることができる構造とした、請求項１および請求項２記載の角度定規。
【発明の詳細な説明】
【技術分野】
【０００１】
本発明は、任意の角度で交わる２本の直線を一筆書きで描くことができる直線定規の大きさの角度定規に関するものである。
【０００２】
特に、０°に近い角度から９０°までの広範囲の角度で、２本の直線定規の線引き辺のほぼ全体を利用して交わる２本の直線を一筆書きで描くことができることを特徴とする定規に関するものである。
【背景技術】
【０００３】
持ち運びやすい直線定規の大きさで、０°に近い角度から９０°までの広範囲で任意の角度を設定できて、１点で交わる２本の直線を２本の直線定規の線引き辺のほぼ全体を使って一筆書きで描くことのできる定規は従来なかった。
【０００４】
２本の直線定規を回転可能な状態で組み合わせて、２本の直線定規の成す角度を表示できる定規はあったが、角度が小さくなると交わる直線を描くための線引き辺が重なって短くなり、直線がほとんど描けなくなったり、段差や回転部が邪魔になって、１点で交わる２本の直線を一筆書きで描くことができない定規であった。
【先行技術文献】
【特許文献】
【０００５】
【特許文献１】特許公開２０１０−２４７４９６  公開特許公報（要約＋請求の範囲、代表図面）
【特許文献２】特許公開２００２−５９４０１  公開特許公報（要約＋請求の範囲、代表図面）
【特許文献３】特許公開平９−２４８９９３  公開特許公報（要約＋請求の範囲、代表図面）
【特許文献４】登録実用新案第３１３４２０９号  登録実用新案公報（要約＋請求の範囲、図１）
【特許文献５】実用新案公開平６−３０３４７  公開実用新案公報（要約＋請求の範囲、代表図面）
【非特許文献】
【０００６】
【非特許文献１】株式会社デザインフィルのホームページ内、MIDORIブランド内の「CLマルチ定規」と「アルミマルチ定規」
【発明の概要】
【発明が解決しようとする課題】
【０００７】
持ち運びやすい直線定規の大きさで、０°に近い角度から９０°までの広範囲で任意の角度を設定できて、１点で交わる２本の直線を２本の直線定規の線引き辺のほぼ全体を使って一筆書きで描くことのできる定規が従来なかった。
【０００８】
従来は、分度器と直線定規を使って、基準となる直線を交わる２本の直線の交点とする位置から正確に描き、分度器を使って必要とする角度を正確にマーキングし、さらに直線定規の線引き辺を２本の直線の交点と角度のマーキングに合致させて交わる直線を描くという煩雑な描き方しかなく、正確に描くのも難しかった。
【０００９】
また、製図用のドラフターを使えば、比較的簡単且つ正確に交わる２本の直線を描くことができるが、基準線を引いてから必要とする角度まで直線定規を回転させて交わる直線を描くという手順が必要となるため、一筆書きで描く方法に比べて煩雑になることに加えて、高額でありドラフター自体が大きくて容易に持ち運んで利用することができないという課題があった。
【００１０】
また、２本の直線定規を回転可能な状態で組み合わせて、２本の直線定規の成す角度を表示できる角度定規はあったが、鋭角で０°に近くなると２本の直線定規が重なってしまい、線を描ける線引き辺が短くなってしまう構造であったり、段差や回転部が邪魔になって、１点で交わる２本の直線を一筆書きで描くことができない定規であった。
【００１１】
そのため、従来の角度定規では、交わる２本の直線の交点とする位置から基準となる直線を正確に描き、角度定規の分度器機能を使って特定の角度を設定し、基準線に一方の直線定規の線引き辺を正確に一致させて、さらに交点の位置に特定の角度に設定した他方の直線定規の線引き辺を一致させて、交わる他方の直線を引くという煩雑な手順が必要であった。
【課題を解決するための手段】
【００１２】
線定規１の線引き辺１２から突出させて他方の直線定規２を回転可能な状態で取り付ける取付け部１３を端部１１側に設ける。この取付け部１３に、交差する２本の直線定規の線引き辺に取付け部１３が邪魔にならないように、線引き辺１２を延長した溝部１４を設ける。
【００１３】
さらに、直線定規２に設ける取付け部２３を、取付け部１３に回転可能な状態で取り付ける。このとき、線引き辺１２と線引き辺２２を並行になるように直線定規２を回転させたときに、線引き辺１２と線引き辺２２が密着もしくは１ｍｍ程度の間隙が空く構成とする。これにより、０°に近い角度で交わる２本の線を線引き辺のほぼ全体を利用して一筆書きで描くことができる構造を実現している。
【００１４】
さらに、直線定規２を回転させて、線引き辺２２と線引き辺１２が９０°になるとき、直線定規１の段差１７に線引き辺２２が接触して９０°を超えた回転ができない構造とする。これにより、９０°で交わる２本の直線を簡単な操作で正確に、しかも直角三角定規よりも描きやすく描くことができる構造を実現している。
【００１５】
また、直線定規２を回転させて、０°から９０°までの角度範囲の中の任意の角度で直線定規２を固定させるための固定機構を利用し直線定規２を固定することにより、２本の直線定規の回転を固定したまま線引き辺のほぼ全体を使って、任意の角度で交わる２本の直線を一筆書きで正確且つ簡単に描くことができる。
【００１６】
さらに、直線定規１の中央付近に取付け部１３を設けた本発明の角度定規では、線引き辺１２と線引き辺２２の成す角度が０°のときに直線定規２の線引き辺２６と直線定規１の線引き辺１６が一直線状になる構造とすることにより、直線定規２を０°から９０°まで回転させたときに、直線定規１の線引き辺１６と直線定規２の線引き辺２６の成す角度は１８０°から９０°となり、線引き辺１６と線引き辺２６のほぼ全体を利用して１８０°から９０°の角度範囲で、交わる２本の線を一筆書きで描くことができることになる。
【発明の効果】
【００１７】
本発明の角度定規は、必要とする角度まで直線定規２を回転させて、角度指示部２５を角度表示部１５の必要とする角度目盛に合わせてから固定機構を使って固定させて、交わる２本の直線を描く位置に移動させることで、必要とする角度で交わる２本の直線を一筆書きで、線引き辺のほぼ全体を使って描くことができるので、簡単かつ正確に作図が可能となる。
【００１８】
さらに、直線定規２を回転させて、線引き辺２２と線引き辺１２が９０°になるとき、直線定規１の段差１７に線引き辺２２が接触して９０°を超えた回転ができない構造としているため、９０°を簡単かつ正確に設定できるので、９０°の角度線を簡単かつ正確に描くことができる。
【００１９】
このとき、従来の直角三角定規の場合は、９０°を外側の線引き辺で直線を描くため、９０°で交わる交点のところで筆記具が止まらずはみ出しやすいため、正確に描きにくかったが、本発明の角度定規では、９０°を内側の線引き辺で直線を描くことができるため、９０°で交わる交点のところで筆記具が他方の線引き辺にぶつかり、正確に止められるため、２本の直線を描きやすく正確に描くことができる。
【００２０】
また、簡単な構造で実現できるので安価に製造できるのに加えて、幅の狭い直線定規の大きさで構成できるので、簡単に持ち歩くことができる。
【００２１】
本発明の角度定規は、線を描くだけでなく、両方の線引き辺を立体物の隣り合う二つの面に密着させることで、隣り合う二つの面の角度を計測できるし、平面の図形などでも交差する二本の直線に両方の線引き辺を合致させることで、交差する二本の直線の角度を計測するときにも活用できる。
【図面の簡単な説明】
【００２２】
【図１】実施例１の平面図
【図２】実施例１の側面図
【図３】実施例２の平面図
【図４】実施例２の側面図
【図５】実施例２の平面図
【図６】実施例３の平面図
【図７】実施例３の側面図
【発明を実施するための形態】
【００２３】
直線定規１の線引き辺１２から突出させて、他方の直線定規２を回転可能に取り付けるための取付け部１３を直線定規１の端部１１側に設ける。
【００２４】
この取付け部１３に、線引き辺１２を延長した溝部１４を設けることにより、直線定規２の角度を０°に近い鋭角に設定したときに直線定規１の線引き辺１２と直線定規２の線引き辺２２の交差する部分に取付け部１３が突出しない構造としているため、０°に近い鋭角に設定したときでも、線引き辺１２と線引き辺２２の交差する部分から線引き辺のほぼ全体を利用して２本の交わる直線を描くことを可能にしている。
【００２５】
次に、直線定規２に設ける取付け部２３を、直線定規１の取付け部１３に回転可能な状態で取り付ける。このとき、線引き辺１２と線引き辺２２を並行になるように直線定規２を回転させたときに、線引き辺１２と線引き辺２２が密着もしくは筆記具の先端を入れることができる１ｍｍ程度の間隙が空く構成とする。
【００２６】
線引き辺１２と線引き辺２２を並行にしたとき、１ｍｍ程度の間隙を空けた構造としたときは、この間隙に筆記具の先端を入れることができるようになる。また、両方の線引き辺を密着させた構造としたときにも、直線定規２を数度動かせば筆記具の先端を入れて両方の線引き辺のほぼ全体を利用して交わる２本の直線を描くことができる。
【００２７】
また、直線定規２の端部２１に、回転の中心の延長上で線引き辺２２と並行となる角度指示部２５を設け、直線定規１の端部１１に直線定規２の回転の中心を中心とした円弧状に０°から９０°までの角度目盛を設けた角度表示部１５を設けて、直線定規２を回転させたとき、線引き辺２２と線引き辺１２の成す角度を角度指示部２５が０°から９０°までの角度目盛を設けた角度表示部１５の当該角度を指し示す構造とすることにより、必要とする角度を設定して交差する２本の直線を正確かつ簡単に描くことができる。
【００２８】
これにより、直線定規２を回転させて、必要とする角度の角度表示部１５の角度目盛に角度指示部２５を一致させることで、線引き辺１２と線引き辺２２の成す角度を必要とする角度に設定できることになる。
【００２９】
さらに、必要とする角度の状態を維持するために、直線定規２の回転を固定するための固定機構を設ける。
【００３０】
これにより、必要とする角度に設定した直線定規１と直線定規２の角度の状態を、固定機構の操作によって固定することができる構造としているため、作図の前に必要とする角度に直線定規２を回転させて、角度表示部１５の当該角度の角度目盛に角度指示部２５を合わせて、固定機構を操作して直線定規２の回転を固定することで、作図する位置まで必要とする角度を維持したまま移動できるので、簡単かつ正確に作図することが可能となる。
【００３１】
この固定機構の実現方法としては、直線定規１の取付け部１３の直線定規２の回転の中心部にねじ部３１を設けて、直線定規２の取付け部２３に、取付け部１３のねじ部３１に挿入できる穴部３２を設けてねじ部３１に挿入し、ねじ部３１の上部から穴部３２を挿入し、指で回してねじ締めできる固定部３をねじ部３１に嵌合させて、指で回して締め付けることで直線定規１と直線定規２を密着させて回転できないように固定できる構造とする。そして、直線定規２を回転させるときは、固定部３を指で反対方向に回して少し緩めることで、再び回転可能な状態にできる。
【００３２】
また、５°もしくは１０°といった一定間隔の角度設定が必要となる場合には、角度指示部２５の先端に前後に動く突起部２８を設けて、直線定規１の角度表示部１５に、突起部２８が嵌合する切込み部１８を０°から９０°までの角度範囲で５°もしくは１０°間隔で設けることにより、突起部２８が切込み部１８に嵌合したときに一時的に直線定規２の回転が止まり、少し力を加えることで、突起部２８が後方に引っ込み回転できる状態になり、さらに５°もしくは１０°回転したときに、突起部２８が切込み部１８に嵌合して一時的に回転が止まる構造とすることで、一定間隔の角度で直線定規２の回転を止めることができる。
【００３３】
次に、直線定規２を回転させて、線引き辺２２と線引き辺１２が直角になるとき、直線定規１の段差１７に線引き辺２２が接触して、直角を超えた回転ができない構造とすることにより、直角で交わる２本の直線を正確かつ簡単に描くことができるようになる。
【００３４】
直線定規１の中央付近に取付け部１３を設けて、線引き辺１２と線引き辺２２の成す角度が０°のときに直線定規２の線引き辺２６と直線定規１の線引き辺１６が一直線状になる構成とすることにより、線引き辺１２と線引き辺２２の成す角度を０°から９０°まで回転させたときに、線引き辺１６と線引き辺２６の成す角度は１８０°から９０°まで変化するため、両側の線引き辺を使用することで、０°から１８０°までの角度で交わる２本の直線を描くことができることとなり、これにより、０°から３６０°までの角度に対応することを可能にしている。
【００３５】
このとき、角度表示部１５に０°から９０°までの角度表示に加えて１８０°から９０°までの角度表示を併記することにより、線引き辺１２と線引き辺２２の成す角度を０°から９０°の角度表示から読み取り、線引き辺１６と線引き辺２６の成す角度を１８０°から９０°の角度表示から読み取ることができる。
【００３６】
さらに、角度表示部１５に３６０°から２７０°の角度表示と１８０°から２７０°の角度表示を加えると、０°から３６０°の角度を簡単に読み取ることができる。
【００３７】
また、線引き辺１２と線引き辺２２の成す角度の角度表示の色と線引き辺１６と線引き辺２６の成す角度の角度表示の色を変えることにより、角度を読み取りやすくできる。
【実施例】
【００３８】
実施例１
直線定規１の端部１１を金属板で構成して、取付け部１３と溝部１４と角度表示部１５を形成し、透明な樹脂の直線定規部４０の接合部４１に容易に取れないように接合する。このとき接合部４１に金属板の厚さと同じ深さの段差を設けたて接合することで、直線定規１の底面が金属板と透明な樹脂の直線定規部４０とが同一面となるように構成する。
【００３９】
さらに、直線定規１の取付け部１３にねじ部３１を設けて直線定規２の取付け部２３に設けた穴部３２を差し込み、ねじ部３１に嵌合する指先で回せる固定部３を回して締め付けることで固定できる構造としている。固定部３を指先で反対方向に回して緩めることで直線定規２が回転できる状態となる。これにより、直線定規２を回転させて必要な角度で固定部３を締め付けることで、直線定規２を固定した状態で作図することができる。
【００４０】
また、直線定規２を０°から９０°まで回転させたときに直線定規１の取付け部１３にぶつからないように金属板の厚さと同じ深さの段差を直線定規２の取付け部２３に設けて、金属板と直線定規２の底面が同一面となるように構成する。
【００４１】
本実施例１では、直線定規１の端部１１を金属板で構成することにより、金属板のプレス加工で取付け部１３と溝部１４と角度表示部１５を簡単に形成加工できるのに加えて、金属板なので薄い厚さでも強度を持たせることができる。そのため、直線定規２の取付け部２３の切込みの深さを浅くできるため、直線定規２の線引き辺２２の取付け部２３の段差が直線を引くときに気にならない程度に浅くできる。
【００４２】
本実施例１の角度定規を利用するときは、固定部３を指で回して緩めてから直線定規２を回転させて、必要な角度になるよう角度指示部２５を角度表示部１５の当該角度に合わせて固定部３を指で回して締め付けて直線定規２を固定する。
【００４３】
次に、線引きが必要な位置に角度定規を移動させて直線定規１と直線定規２の交点を描こうとする交わる２本の線の位置に合わせて、必要な長さの交わる２本の直線を両方の直線定規の線引き辺を利用して一筆書きで描くことで簡単かつ正確に作図することができる。
【００４４】
また、９０°の角度が必要なときには直線定規１の樹脂の直線定規部４０の端部の段差１７にぶつかるまで直線定規２を回転させることで簡単に９０°を設定できる構造にしている。
【００４５】
実施例２
直線定規１の中央付近に取付け部１３を設けて、直線定規２の取付け部２３を回転可能な状態で取り付けて、線引き辺１２と線引き辺２２の成す角度が０°のときに直線定規２の線引き辺２６と直線定規１の線引き辺１６が一直線状になり、線引き辺１２と線引き辺２２が密着する構成とし、角度表示部１５に０°から９０°までの角度表示に加えて１８０°から９０°までの角度表示を併記している。また、直線定規１と直線定規２の各線引き辺に、長さを表示する目盛を設けている。
【００４６】
直線定規１の取付け部１３にねじ部３１を設けて直線定規２の取付け部２３に設けた穴部３２を差し込み、ねじ部３１に嵌合する指で回せる固定部３を回して締め付けることで固定できる構成としている。固定部３を指で反対方向に回して緩めることで直線定規２が回転できる状態となるため、直線定規２を回転させて特定の角度で固定部３を指で回して締め付けることで、直線定規２を固定した状態で作図することができる。
【００４７】
また、直線定規２を０°から９０°まで回転させたときに直線定規１の取付け部１３にぶつからないように取付け部１３の厚さと同じ深さの段差を直線定規２の取付け部２３に設けて、直線定規１と直線定規２の底面が同一面となるように構成する。
【００４８】
本実施例２では、直線定規２を直線定規１の中央付近に取り付けているため、右側では線引き辺１２と線引き辺２２で０°から９０°までの角度設定が可能となり、左側では線引き辺１６と線引き辺２６で１８０°から９０°までの角度設定が可能となる。
【００４９】
本実施例２の角度定規を利用するときは、固定部３を指で回して緩めてから直線定規２を回転させて、必要な角度になるよう角度指示部２５を角度表示部１５の当該角度に合わせて固定部３を指で回して締め付けて直線定規２を固定する。
【００５０】
次に、線引きが必要な位置に角度定規を移動させて直線定規１と直線定規２の交点を描こうとする交わる２本の直線の位置に合わせて、必要な長さの交わる２本の直線を両方の直線定規の線引き辺を利用して一筆書きで描くことで、簡単かつ正確に作図することができる。
【００５１】
このとき、右側の線引き辺１２と線引き辺２２で０°から９０°までの角度を設定できるし、左側の線引き辺１６と線引き辺２６で１８０°から９０°までの角度の設定が可能となる。また、９０°の角度が必要なときには直線定規１の段差１７にぶつかるまで直線定規２を回転させることで、簡単に９０°を設定できる構造にしている。
【００５２】
実施例３
直線定規１の中央付近に取付け部１３を設けて、直線定規２の取付け部２３を回転可能な状態で取り付けて、線引き辺１２と線引き辺２２の成す角度が０°のときに直線定規２の線引き辺２６と直線定規１の線引き辺１６が一直線状になり、線引き辺１２と線引き辺２２が密着する構造とし、角度表示部１５に０°から９０°までの角度表示に加えて１８０°から９０°までの角度表示を併記している。
【００５３】
さらに、直線定規１の取付け部１３と直線定規２の取付け部２３に磁石を設けて、この２つの磁石を吸着させることで回転可能な状態で直線定規２を直線定規１に連結している。また、１０°ごとに切込み部１８を角度表示部１５に設けて、直線定規２の角度指示部２５に突起部２８を設け、切込み部１８に突起部２８が嵌合し回転が一時的に止まる構造にしており、１０°ごとに回転が一時的に止まり、力を加えて直線定規２を回転させると突起部２８が後方に押し付けられて直線定規２が回転できる構造にしている。
【００５４】
また、直線定規２を０°から９０°まで回転させたときに直線定規１の取付け部１３にぶつからないように取付け部１３の厚さと同じ深さの段差を直線定規２の取付け部２３に設けて、直線定規１と直線定規２の底面が同一面となるように構成する。
【００５５】
本実施例３では、直線定規２を直線定規１の中央付近に取り付けているため、右側では線引き辺１２と線引き辺２２で０°から９０°までの角度設定が可能となり、左側では線引き辺１６と線引き辺２６で１８０°から９０°までの角度設定が可能となる。
【００５６】
本実施例３の角度定規を利用するときは、１０°ごとに切込み部１８を角度表示部１５に設け、直線定規２の角度指示部２５に突起部２８を設けているため、１０°単位の角度設定のときに必要な角度の切込み部１８に突起部２８を嵌合させて回転を一時的に止めて、交わる２本の直線を描く。
【００５７】
必要とする角度が１０°単位以外の角度の時には、直線定規２を必要とする角度まで回転させて、直線定規１と直線定規２を指先で押さえて交わる２本の直線を描く。
【００５８】
このとき、右側の線引き辺１２と線引き辺２２で０°から９０°までの角度を設定できるし、左側の線引き辺１６と線引き辺２６で１８０°から９０°までの角度の設定が可能となる。また、９０°の角度が必要なときには直線定規１の段差１７にぶつかるまで直線定規２を回転させることで簡単に９０°を設定できる構造にしている。
【符号の説明】
【００５９】
１  直線定規
１１  端部
１２  線引き辺
１３  取付け部
１４  溝部
１５  角度表示部
１６  線引き辺
１７  段差
１８  切込み部
【００６０】
２  直線定規
２１  端部
２２  線引き辺
２３  取付け部
２５  角度指示部
２６  線引き辺
２８  突起部
【００６１】
３  固定部
３１  ねじ部
３２  穴部
４０  直線定規部
４１  接合部
【図１】
2016074097.tif 000003
【図２】
2016074097.tif 000004
【図３】
2016074097.tif 000005
【図４】
2016074097.tif 000006
【図５】
2016074097.tif 000007
【図６】
2016074097.tif 000008
【図７】
2016074097.tif 000009